(57)【要約】【課題】吸気口及び排気口の空気の流通方向を調節する羽根部材の角度が調節された場合でも、冷却対象を適切に冷却できるプロジェクタ、ファン駆動制御方法、ファン駆動制御プログラム及び記録媒体を提供すること。【解決手段】画像形成手段３１と、制御手段３６と、吸気口及び排気口が形成された筐体２とを備えたプロジェクタ１は、吸気口から導入した空気を排気口から排出し、当該空気の流路上に設けられた所定の冷却対象の上流側及び下流側の少なくともいずれかに設けられたファン３２と、吸気口及び前記排気口のうち少なくともいずれかに設けられ、回動することで空気の流通方向を調節する羽根部材を有する調節手段と、羽根部材の角度を検出する角度検出手段３３，３４とを備える。制御手段３６は、角度検出手段３３，３４により検出された羽根部材の角度に応じて、ファン３２の駆動を制御するファン駆動制御部３６５を備える。【選択図】図４
2008122802.tif 000002
【特許請求の範囲】
【請求項１】
画像情報に応じた光学像を形成する画像形成手段と、装置全体を制御する制御手段と、少なくとも前記画像形成手段を内部に収納し、かつ、外部の空気を導入する吸気口及び内部の空気を排出する排気口が形成された筐体とを備えたプロジェクタであって、
前記吸気口から導入した空気を前記排気口から排出し、かつ、前記空気の流路に設けられた所定の冷却対象の上流側及び下流側の少なくともいずれかに配置されるファンと、
前記吸気口及び前記排気口のうち少なくともいずれかに設けられ、回動することで空気の流通方向を調節する羽根部材を有する調節手段と、
前記羽根部材の角度を検出する角度検出手段とを備え、
前記制御手段は、
前記角度検出手段により検出された前記羽根部材の角度に応じて、前記ファンの駆動を制御するファン駆動制御部を備えることを特徴とするプロジェクタ。
【請求項２】
請求項１に記載のプロジェクタにおいて、
前記羽根部材の角度と前記ファンの回転速度に係る情報とが関連付けられたファン駆動情報を記憶する記憶手段を備え、
前記ファン駆動制御部は、前記ファン駆動情報に基づいて、前記ファンの駆動を制御することを特徴とするプロジェクタ。
【請求項３】
請求項２に記載のプロジェクタにおいて、
前記筐体内の温度を検出する内部温度検出手段を備え、
前記ファン駆動情報には、前記羽根部材の角度及び前記筐体内の温度に応じて前記ファンの回転速度に係る情報が設定され、
前記ファン駆動制御部は、前記角度検出手段により検出された前記羽根部材の角度、及び、前記内部温度検出手段により検出された前記筐体内の温度に応じた前記ファンの回転速度に係る情報を、前記ファン駆動情報から取得する駆動情報取得部と、
取得された前記回転速度に係る情報に基づいて、前記ファンを駆動するファン駆動部とを備えることを特徴とするプロジェクタ。
【請求項４】
請求項２または請求項３に記載のプロジェクタにおいて、
前記ファンの回転速度に係る情報は、前記ファンに印加するファン電圧であることを特徴とするプロジェクタ。
【請求項５】
画像情報に応じた光学像を形成する画像形成手段と、装置全体を制御する制御手段と、少なくとも前記画像形成手段を内部に収納し、かつ、外部の空気を導入する吸気口及び内部の空気を排出する排気口が形成された筐体と、前記吸気口を介して導入した空気を前記排気口から排出するファンとを備えたプロジェクタに用いられ、前記ファンの駆動を制御するファン駆動制御方法であって、
前記吸気口及び前記排気口のうち少なくともいずれかに設けられ、回動することで空気の流通方向を調節する羽根部材を有する調節手段と、
前記羽根部材の角度を検出する角度検出手段と、
前記羽根部材の角度と、前記ファンの回転速度に係る情報とが関連付けられたファン駆動情報を記憶する記憶手段とを備え、
前記ファンは、前記空気の流路に設けられた所定の冷却対象の上流側及び下流側の少なくともいずれかに配置され、
前記ファン駆動制御方法は、
前記角度検出手段により検出された前記羽根部材の角度を取得する角度取得ステップと、
取得された前記羽根部材の角度に応じた前記ファンの回転速度に係る情報を、前記ファン駆動情報から取得する駆動情報取得ステップと、
取得された前記回転速度に係る情報に基づいて、前記ファンを駆動させるファン駆動ステップとを有することを特徴とするファン駆動制御方法。
【請求項６】
画像情報に応じた光学像を形成する画像形成手段と、装置全体を制御する制御手段と、少なくとも前記画像形成手段を内部に収納し、かつ、外部の空気を導入する吸気口及び内部の空気を排出する排気口が形成された筐体と、前記吸気口を介して導入した空気を前記排気口から排出するファンとを備えたプロジェクタの前記制御手段により実行され、前記ファンの駆動を制御するファン駆動制御プログラムであって、
前記吸気口及び前記排気口のうち少なくともいずれかに設けられ、回動することで空気の流通方向を調節する羽根部材を有する調節手段と、
前記羽根部材の角度を検出する角度検出手段と、
前記羽根部材の角度と、前記ファンの回転速度に係る情報とが関連付けられたファン駆動情報を記憶する記憶手段とを備え、
前記ファンは、前記空気の流路上に設けられた所定の冷却対象の上流側及び下流側の少なくともいずれかに配置され、
前記制御手段に、
前記角度検出手段により検出された前記羽根部材の角度を取得する角度取得ステップと、
取得された前記羽根部材の角度に応じた前記ファンの回転速度に係る情報を、前記ファン駆動情報から取得する駆動情報取得ステップと、
取得された前記回転速度に係る情報に基づいて、前記ファンを駆動させるファン駆動ステップとを実行させることを特徴とするファン駆動制御プログラム。
【請求項７】
請求項６に記載のファン駆動制御プログラムをコンピュータ読取可能に記録したことを特徴とする記録媒体。
【発明の詳細な説明】
【技術分野】
【０００１】
本発明は、画像情報に応じた光学像を形成する画像形成手段と、装置全体を制御する制御手段と、これらを内部に収納し、かつ、吸気口及び排気口が形成された筐体と、吸気口から導入した空気を排気口から排気する過程で、所定の冷却対象を冷却するファンとを備えたプロジェクタ、当該プロジェクタに用いられるファン駆動制御方法、ファン駆動制御プログラム、及び、当該ファン駆動制御プログラムを記録した記録媒体に関する。
【背景技術】
【０００２】
従来、光源と、当該光源から射出された光束を画像情報に応じて変調する光変調装置と、変調された光束をスクリーン等に投射する投射光学装置とを有する画像形成手段を備えたプロジェクタが知られている。このようなプロジェクタを構成する光源や光変調装置等は、画像形成時に高温となる一方で熱に弱いため、プロジェクタでは、これらを適切に冷却するための冷却手段を備えた構成が一般的となっている。このような冷却手段として、外部から筐体内に導入した空気を冷却対象に送風するファンを備えたプロジェクタが知られている（例えば、特許文献１参照）。
【０００３】
この特許文献１に記載のプロジェクタでは、光源及び光学装置の温度をそれぞれ検出する温度検出センサと、プロジェクタの駆動時間を計時する計時部とを備え、当該駆動時間に応じて検出された温度から温度勾配を算出する。そして、当該温度勾配に基づいて、プロジェクタの使用環境、すなわち、プロジェクタが設置された場所が低地、標準及び高地のいずれであるのかを判定し、当該使用条件に応じて吸気ファン及び排気ファンを駆動する。このように、プロジェクタの使用環境に応じて、吸気ファン及び排気ファンを駆動することで、特許文献１に記載のプロジェクタでは、内部の光源及び光学装置を適切に冷却することができる。
【０００４】
【特許文献１】特開２００５−７０５１４号公報
【発明の開示】
【発明が解決しようとする課題】
【０００５】
しかしながら、特許文献１に記載のプロジェクタでは、プロジェクタの筐体に形成された吸気口及び排気口の少なくともいずれかに、空気の流通方向を調節する羽根部材を有するルーバ等の調節手段が設けられている場合、当該羽根部材の角度が変更された際の吸気効率及び排気効率が考慮されないという問題がある。
具体的に、排気口にルーバが設けられている場合、排気口の開口面と羽根部材との角度が小さい場合には、排気口の開口面積が小さくなるため、排気が滞る場合がある。このような場合、温度の高い空気が筐体内部にこもりやすくなるため、筐体内の温度が上昇し、当該筐体内の冷却対象が適切に冷却されにくいという問題がある。また、吸気口にルーバが設けられている場合でも、吸気口の開口面積が小さくなることにより、吸気が適切に行われない場合があり、冷却対象の冷却が適切に行われない場合があるという問題がある。
【０００６】
本発明の目的は、吸気口及び排気口の少なくともいずれかに設けられ、空気の流通方向を調節する羽根部材の角度が調節された場合でも、冷却対象を適切に冷却することができるプロジェクタ、ファン駆動制御方法、ファン駆動制御プログラム及び記録媒体を提供することである。
【課題を解決するための手段】
【０００７】
前記した目的を達成するために、本発明のプロジェクタは、画像情報に応じた光学像を形成する画像形成手段と、装置全体を制御する制御手段と、少なくとも前記画像形成手段を内部に収納し、かつ、外部の空気を導入する吸気口及び内部の空気を排出する排気口が形成された筐体とを備えたプロジェクタであって、前記吸気口から導入した空気を前記排気口から排出し、かつ、前記空気の流路において、所定の冷却対象の上流側及び下流側の少なくともいずれかに配置されるファンと、前記吸気口及び前記排気口のうち少なくともいずれかに設けられ、回動することで空気の流通方向を調節する羽根部材を有する調節手段と、前記羽根部材の角度を検出する角度検出手段とを備え、前記制御手段は、前記角度検出手段により検出された前記羽根部材の角度に応じて、前記ファンの駆動を制御するファン駆動制御部を備えることを特徴とする。
【０００８】
ここで、羽根部材の角度とは、例えば、吸気口に調節手段が設けられている場合には、当該吸気口の開口面に対する羽根部材の角度を指し、排気口に調節手段が設けられている場合には、当該排気口の開口面に対する羽根部材の角度を指す。
本発明によれば、筐体に形成された吸気口及び排気口の少なくともいずれかに、空気の流通方向の調節する羽根部材を有する調節手段と、当該羽根部材の角度を検出する角度検出手段とが設けられ、当該角度検出手段により検出された羽根部材の角度に応じて、制御手段のファン駆動制御部が、ファンの駆動を制御する。
これによれば、例えば、排気口に調節手段が設けられ、角度調節された羽根部材と、排気口の開口面との角度が小さい場合に、ファン駆動制御部が、ファンの回転速度を増加することにより、筐体内から外部に排出される空気の量を増加させることができる。これにより、筐体内に熱を帯びた空気が滞ることなく、当該空気を効率よく排気することができる。
【０００９】
また、吸気口に調節手段が設けられ、同様に、角度調節された羽根部材と、吸気口の開口面との角度が小さい場合に、ファン駆動制御部が、ファンの回転速度を増加することにより、筐体内に流入する空気の量を増やすことができる。これにより、筐体外から筐体内への空気の流通量を増やすことができるので、当該筐体内の温度を下げることができるだけでなく、冷却対象に空気を確実に流通させることができるので、当該冷却対象を効率よく冷却することができる。
さらに、排気口に設けられた調節手段の羽根部材と、当該排気口の開口面との角度が大きい場合、及び、吸気口に設けられた調節手段の羽根部材と、当該吸気口の開口面との角度が大きい場合には、排気口での排気及び吸気口での吸気が効率よく行われるので、ファン駆動制御部がファンの回転速度を下げることができる。これにより、プロジェクタの省電力化及び静音化を図ることができる。
従って、プロジェクタの吸排気状態に応じてファンの駆動を制御することができるので、筐体内に設けられた冷却対象を効率よく冷却することができるだけでなく、ファン駆動状態によっては、プロジェクタの静音化及び省電力化を図ることができる。
【００１０】
本発明では、前記羽根部材の角度と前記ファンの回転速度に係る情報とが関連付けられたファン駆動情報を記憶する記憶手段を備え、前記ファン駆動制御部は、前記ファン駆動情報に基づいて、前記ファンの駆動を制御することが好ましい。
本発明によれば、記憶手段に記憶されたファン駆動情報に基づいて、ファン駆動制御部が、羽根部材の角度に応じたファンの回転速度に係る情報を取得し、当該回転速度に係る情報に基づいてファンを駆動することにより、吸排気状態に応じたファンの駆動制御をより適切に行うことができる。また、このようなファンの回転速度に係る情報を含むファン駆動情報が、予め記憶手段に記憶されていることにより、複雑な演算処理等によってファンの駆動を制御する処理を省くことができる。従って、ファンの駆動を簡易に、かつ、適切に制御することができる。
【００１１】
本発明では、前記筐体内の温度を検出する内部温度検出手段を備え、前記ファン駆動情報には、前記羽根部材の角度及び前記筐体内の温度に応じて前記ファンの回転速度に係る情報が設定され、前記ファン駆動制御部は、前記角度検出手段により検出された前記羽根部材の角度、及び、前記内部温度検出手段により検出された前記筐体内の温度に応じた前記ファンの回転速度に係る情報を、前記ファン駆動情報から取得する駆動情報取得部と、取得された前記回転速度に係る情報に基づいて、前記ファンを駆動するファン駆動部とを備えることが好ましい。
【００１２】
本発明によれば、記憶手段に記憶されたファン駆動情報は、羽根部材の角度及び筐体内の温度に応じてファンの回転速度に係る情報が設定され、当該ファン駆動情報から、ファン駆動制御部を構成する駆動情報取得部が、温度検出手段により検出された筐体内の温度、及び、角度検出手段により検出された羽根部材の角度に対応するファンの回転速度に係る情報を取得し、取得された当該回転速度に係る情報に基づいて、ファン駆動部が、ファンの駆動を制御する。
これによれば、ファン駆動情報に基づいて、内部温度検出手段により検出された筐体内の温度、及び、角度検出手段により検出された羽根部材の角度に応じたファンの駆動を容易に実現することができる。
【００１３】
具体的に、検出された筐体内の温度が低い場合には、ファン駆動制御部は、取得されたファンの回転速度に係る情報に基づいてファンの回転速度を下げることで、省電力化を図るとともに、プロジェクタの静音化を図ることができる。一方、当該筐体内の温度が高い場合には、ファン駆動制御部は、取得されたファンの回転速度に係る情報に基づいてファンの回転速度を高め、筐体内の空気の流通効率を高めることにより、筐体内の温度を下げるとともに、冷却対象の冷却効率を高めることができる。従って、筐体内の温度に応じて、ファンの駆動を制御することにより、冷却対象を効率よく冷却することができ、一方では同時に、プロジェクタの省電力化及び静音化を図ることができる。
【００１４】
本発明では、前記ファンの回転速度に係る情報は、前記ファンに印加するファン電圧であることが好ましい。
本発明によれば、羽根部材の角度に対応したファン電圧がファン駆動情報に設定されている。これによれば、ファン駆動制御部が、当該ファン電圧をファンに印加することにより、吸気口での吸気状態及び排気口での排気状態に対して適切なファンの駆動制御を実現することができる。従って、吸排気状態に応じてファンの駆動制御を一層簡易に行うことができる。
【００１５】
また、本発明のファン駆動制御方法は、画像情報に応じた光学像を形成する画像形成手段と、装置全体を制御する制御手段と、少なくとも前記画像形成手段を内部に収納し、かつ、外部の空気を導入する吸気口及び内部の空気を排出する排気口が形成された筐体と、前記吸気口を介して導入した空気を前記排気口から排出するファンとを備えたプロジェクタに用いられ、前記ファンの駆動を制御するファン駆動制御方法であって、前記吸気口及び前記排気口のうち少なくともいずれかに設けられ、回動することで空気の流通方向を調節する羽根部材を有する調節手段と、前記羽根部材の角度を検出する角度検出手段と、前記羽根部材の角度と、前記ファンの回転速度に係る情報とが関連付けられたファン駆動情報を記憶する記憶手段とを備え、前記ファンは、前記空気の流路に設けられた所定の冷却対象の上流側及び下流側の少なくともいずれかに配置され、前記ファン駆動制御方法は、前記角度検出手段により検出された前記羽根部材の角度を取得する角度取得ステップと、取得された前記羽根部材の角度に応じた前記ファンの回転速度に係る情報を、前記ファン駆動情報から取得する駆動情報取得ステップと、取得された前記回転速度に係る情報に基づいて、前記ファンを駆動させるファン駆動ステップとを有することを特徴とする。
【００１６】
本発明によれば、前述のファン駆動情報を記憶する記憶手段を有するプロジェクタと、同様の効果を奏することができる。
すなわち、角度取得ステップにて、角度検出手段により検出された羽根部材の角度、つまり、調節手段に回動自在に設けられ、吸気口及び排気口の少なくともいずれかの空気の流通方向を調節する羽根部材の角度を取得し、駆動情報取得ステップにて、取得された角度に応じたファンの回転速度に係る情報をファン駆動情報から取得する。そして、ファン駆動ステップにて、取得された回転速度に係る情報に基づいて、制御手段がファンを駆動する。
これによれば、吸気口での吸気効率及び排気口での排気効率に応じて、冷却対象の冷却を効率よく行うことができる。この際、ファンの回転速度は、ファン駆動情報に基づいて設定されるので、複雑な演算処理を必要とすることなく、適切な回転速度を簡易に設定することができる。また、吸気口での吸気及び排気口での排気が効率よく行われている場合には、ファンの回転速度を下げることができるので、プロジェクタの静音化及び省電力化を図ることができる。
【００１７】
また、本発明のファン駆動制御プログラムは、画像情報に応じた光学像を形成する画像形成手段と、装置全体を制御する制御手段と、少なくとも前記画像形成手段を内部に収納し、かつ、外部の空気を導入する吸気口及び内部の空気を排出する排気口が形成された筐体と、前記吸気口を介して導入した空気を前記排気口から排出するファンとを備えたプロジェクタの前記制御手段により実行され、前記ファンの駆動を制御するファン駆動制御プログラムであって、前記吸気口及び前記排気口のうち少なくともいずれかに設けられ、回動することで空気の流通方向を調節する羽根部材を有する調節手段と、前記羽根部材の角度を検出する角度検出手段と、前記羽根部材の角度と、前記ファンの回転速度に係る情報とが関連付けられたファン駆動情報を記憶する記憶手段とを備え、前記ファンは、前記空気の流路上に設けられた所定の冷却対象の上流側及び下流側の少なくともいずれかに配置され、前記制御手段に、前記角度検出手段により検出された前記羽根部材の角度を取得する角度取得ステップと、取得された前記羽根部材の角度に応じた前記ファンの回転速度に係る情報を、前記ファン駆動情報から取得する回転速度取得ステップと、取得された前記回転速度に係る情報に基づいて、前記ファンを駆動させるファン駆動ステップとを実行させることを特徴とする。
【００１８】
本発明によれば、前述のファン駆動制御方法と同様の効果を奏することができる。
すなわち、制御手段が、角度取得ステップ、駆動情報取得ステップ及びファン駆動ステップを実行することにより、筐体内の冷却対象の冷却を適切に行うことができるとともに、吸気口での吸気効率及び排気口での排気効率に応じたファンの駆動制御することができる。また、羽根部材が略全開状態となり、吸気口での吸気及び排気口での排気が効率よく行われる場合には、ファンの回転速度を下げることができるので、プロジェクタの静音化及び省電力化を図ることができる。さらに、ファンの回転速度は、ファン駆動情報から取得された回転速度に係る情報に基づいて設定されるので、複雑な演算処理等を必要とせずに、簡易にファンの回転速度を設定することができる。
【００１９】
また、本発明の記録媒体は、前述のファン駆動制御プログラムをコンピュータ読取可能に記録したことを特徴とする。
本発明によれば、当該記録媒体に記録されたファン駆動制御プログラムを読み取って実行することにより、前述のファン駆動制御プログラムと同様の効果を奏することができる。また、記録媒体として、ＤＡＴ（Digital Audio Tape）等の磁気テープ、ＦＤ（Flexible Disc）等の磁気ディスク、ＣＤ（Compact Disc）及びＤＶＤ（Digital Versatile Disc）等の光ディスク、光磁気ディスク、ハードディスク装置、並びに、ＲＯＭ（Read Only Memory）及びフラッシュメモリ等の半導体メモリ等を用いることができ、これらを利用して、前述のファン駆動制御プログラムをインストール、実行及び配布することができる。
【発明を実施するための最良の形態】
【００２０】
以下、本発明の一実施形態を図面に基づいて説明する。
（１）プロジェクタ１の全体構成
図１は、本実施形態のプロジェクタ１の外観を示す概要斜視図である。
本実施形態のプロジェクタ１は、光源から射出された光束を、入力する画像情報に応じて変調して画像光を形成し、当該画像光をスクリーン等の投射面に投射して、画像光に係る画像を表示するものである。このプロジェクタ１は、図１に示すように、筐体２と、当該筐体２内に収納される装置本体３（図１では、装置本体３を構成する画像形成手段３１の投射レンズ３１３のみ図示）とを備えて構成されている。
【００２１】
（２）筐体２の構成
筐体２は、全体略直方体形状に形成された合成樹脂製の筐体であり、図１に示すように、当該筐体２には、上面部２１、正面部２２、背面部（図示省略）、左右の両側面部２３（筐体２の左側（図１における手前側）の側面部２３のみ図示）及び底面部（図示省略）が形成されている。
上面部２１の略中央には、筐体２外の空気を導入する吸気口２１１が形成され、当該吸気口２１１には、後述するルーバ４が設けられている。また、上面部２１における正面部２２寄りの位置には、複数のキーが配設された操作パネルを備えて構成される操作手段２１２が設けられている。この操作手段２１２は、入力されたキーに応じた操作信号を、装置本体３の後述する制御手段３６に出力する。なお、このような操作手段２１２を構成するキーとしては、プロジェクタ１の電源をオン／オフする電源キーや、表示されたＯＳＤ（On Screen Display）のメニュー画面に含まれる項目を選択する選択キー、及び、選択した項目を決定する決定キー等が挙げられる。
【００２２】
正面部２２には、後述する装置本体３を構成する投射レンズ３１３が露出する開口２２１が形成されている。また、詳しい図示を省略したが、背面部には、画像情報を出力する外部機器と接続可能な各種端子が設けられている。さらに、底面部には、プロジェクタ１を所定の設置面に設置する際に、当該設置面に当接する複数の脚部が設けられている。
側面部２３には、装置本体３を冷却した空気を、筐体２外に排出する排気口２３１が形成されている。この排気口２３１には、当該排気口２３１を覆うように、排気方向を調節するルーバ５が設けられている。
【００２３】
（３）ルーバ４，５の構成
図２は、羽根部材４１，５１を全開状態としたルーバ４，５を示す正面図である。また、図３は、ルーバ４，５の回動方向を示す斜視図である。なお、図２及び図３においては、ルーバ４の各構成に対応するルーバ５の各構成の符号を、括弧書きで示している。
ルーバ４，５は、それぞれ、吸気口２１１及び排気口２３１の外側に設けられ、後述するファン３２の駆動によって吸気口２１１に流入する空気、及び、排気口２３１から排出される空気の流通方向を調節する調節手段である。このルーバ４，５は、それぞれ同様の構成を有しており、具体的には、図２及び図３に示すように、互いに略平行に、かつ、等間隔に配置された同形状を有する複数の羽根部材４１，５１と、当該複数の羽根部材４１，５１を回動自在に支持するルーバ本体４２，５２と、複数の羽根部材４１，５１のそれぞれを同時に回動させる回動機構４３，５３とを備えて構成されている。
【００２４】
このうち、複数の羽根部材４１，５１は、それぞれ正面視略矩形状を有する板体であり、ルーバ本体４２，５２の略中央に形成された正面視正方形状の開口４２１，５２１内に、当該羽根部材４１，５１の長手方向を軸として回動自在に支持されている。これら羽根部材４１，５１は、回動機構４３，５３を構成するダイヤル４３１，５３１を回動させることにより、当該ダイヤル４３１，５３１の回動量に応じて、それぞれ同じ回動量だけ回動するように構成されている。そして、これら羽根部材４１，５１の回動範囲は、０〜９０°に設定されている。
【００２５】
ここで、各羽根部材４１，５１が９０°である場合、すなわち、羽根部材４１，５１と吸気口２１１及び排気口２３１の開口面との角度が９０°の場合には、各羽根部材４１，５１は全開状態となり、吸気口２１１に流入する空気、及び、排気口２３１から排出される空気は、当該吸気口２１１及び排気口２３１が形成された上面部２１及び側面部２３にそれぞれ直交する方向に流通する。
また、各羽根部材４１，５１が０°である場合、すなわち、羽根部材４１，５１と吸気口２１１及び排気口２３１の開口面との角度が０°の場合には、各羽根部材４１，５１は全閉状態となる。このため、プロジェクタ１を使用しない場合には、各羽根部材４１，５１を全閉状態として、吸気口２１１及び排気口２３１を閉塞することができるので、当該吸気口２１１及び排気口２３１から塵埃等が筐体２内に侵入することを防ぐことができる。
【００２６】
ルーバ本体４２，５２は略円筒状を有し、当該ルーバ本体４２，５２の中心軸が、吸気口２１１及び排気口２３１のそれぞれの中心を通るように配置される。これらルーバ本体４２，５２の略中央には、前述のように、ルーバ本体４２，５２を貫通し、かつ、各羽根部材４１，５１が配置される開口４２１，５２１が形成されている。これら開口４２１，５２１は、それぞれ吸気口２１１及び排気口２３１より大きく形成されている。また、ルーバ本体４２，５２において外部に露出する面には、前述のダイヤル４３１，５３１が露出する開口４２２，５２２が形成されている。
【００２７】
このようなルーバ本体４２，５２は、羽根部材４１，５１の長手方向に直交する方向に平行で、かつ、ルーバ本体４２，５２の中心を通る直線を軸として図３中矢印Ｌ方向に回動自在に筐体２に取り付けられている。また、ルーバ本体４２，５２は、当該ルーバ本体４２，５２の軸方向を軸として図３中矢印Ｍ方向に回転自在に筐体２に取り付けられている。このため、羽根部材４１，５１の回動量（角度）、及び、ルーバ本体４２，５２のＬ方向及びＭ方向の回動量（角度）を調節することにより、吸気口２１１への空気の流入方向、及び、排気口２３１からの空気の排出方向を詳細に設定することができる。
なお、本実施形態のルーバ４，５では、羽根部材４１，５１は、それぞれ回動機構４３，５３のダイヤル４３１，５３１により手動で角度調節するとしたが、回動機構４３，５３をステッピングモータ等により構成し、使用者の操作に応じて当該モータが駆動することで、羽根部材４１，５１が回動するように構成してもよい。
【００２８】
（４）装置本体３の構成
図４は、装置本体３の構成を示すブロック図である。
装置本体３は、前述のように、筐体２内に収納配置され、入力する画像情報に応じた画像形成等を行う。この装置本体３は、図４に示すように、画像形成手段３１、２つのファン３２、吸気側角度検出手段３３、排気側角度検出手段３４、内部温度検出手段３５及び制御手段３６を備えて構成されている。また、装置本体３は、図示を省略したが、当該装置本体３を構成する各電子部品に電力を供給する電源装置等を備えている。
【００２９】
画像形成手段３１は、制御手段３６から入力する画像信号である駆動信号に応じた画像光を形成し、当該画像光をスクリーンＳＣ等に投影するものである。この画像形成手段３１は、光源装置３１１、液晶ライトバルブ３１２、投射レンズ３１３及び各種光学部品（図示省略）を備えて構成されている。
光源装置３１１は、本実施形態では、複数のＬＥＤ（Light Emitting Diode）を備えて構成され、当該ＬＥＤの点灯は、後述する制御手段３６を構成する光源駆動制御部３６３により制御される。このような光源装置３１１から射出された光は、図示しない複数の光学部品を介して、液晶ライトバルブ３１２の画像形成領域に重畳される。なお、このような光源装置３１１は、ＬＤ（Laser Diode）等の半導体発光素子で構成することができるほか、メタルハライドランプや高圧水銀ランプ等の放電光源ランプを用いても構成することができる。
【００３０】
液晶ライトバルブ３１２は、後述する制御手段３６を構成するライトバルブ駆動制御部３６２による制御下で、光源装置３１１から射出された光束を変調して当該ライトバルブ駆動制御部３６２から入力する駆動信号に応じた画像を形成する光変調装置である。この液晶ライトバルブ３１２は、詳しい図示を省略したが、液晶パネルと、当該液晶パネルを挟む一対の偏光板とを備えて構成されている。
このうち、液晶パネルは、一対の透明ガラス基板に電気光学物質である液晶が密閉封入された構成を有し、ライトバルブ駆動制御部３６２から入力する駆動信号に応じて、画像形成領域内にある液晶の配向状態が制御され、当該液晶パネルの光入射側に位置する偏光板を透過した偏光光束の偏光方向を変調して光学像を形成する。
【００３１】
液晶パネルを挟む一対の偏光板は、それぞれ入射した光束のうち、所定方向の偏光光のみ透過させ、その他の光束を吸収する。これら偏光板は、例えば、サファイアガラスまたは水晶等の透光性基板上に偏光膜が貼付された構成を有している。これら偏光板のうち、液晶パネルの光射出側に位置する偏光板は、液晶パネルから射出された光束のうち、入射側の偏光板における光束の透過軸と直交する偏光軸を有する光束のみ透過させる。
【００３２】
投射レンズ３１３は、詳しい図示を省略するが、鏡筒内部に複数のレンズが収納された組レンズとして構成されている。そして、投射レンズ３１３は、液晶ライトバルブ３１２を介して形成された画像光を拡大投射し、当該画像光をスクリーンＳＣ等の画像表示領域上に結像させる。
【００３３】
２つのファン３２は、それぞれ、後述する制御手段３６を構成するファン駆動制御部３６５による制御下で駆動する冷却手段である。
これらファン３２のうち、吸気口２１１の近接に設けられた吸気ファン３２１は、所定の冷却対象の上流側に位置するファンである。この吸気ファン３２１は、吸気口２１１に対向する吸気面を有し、当該吸気口２１１から筐体２外部の空気を内部に導入して、当該空気を所定の冷却対象に送風する。
また、排気口２３１に近接する位置に設けられた排気ファン３２２は、所定の冷却対象の下流側に位置するファンである。この排気ファン３２２は、排気口２３１に対向する排気面を有し、吸気口２１１から導入され、かつ、筐体２内を流通して所定の冷却対象を冷却した空気を筐体２外に排出する。
このような冷却対象としては、前述の画像形成手段３１を構成する光源装置３１１、液晶ライトバルブ３１２や、制御手段３６及び電源装置等を挙げることができる。
【００３４】
吸気側角度検出手段３３及び排気側角度検出手段３４は、それぞれルーバ４，５の羽根部材４１，５１の回動角（ルーバ角）を検出する角度検出手段である。具体的に、これら吸気側角度検出手段３３及び排気側角度検出手段３４は、ルーバ４，５に設けられた回動機構４３，５３のダイヤル４３１，５３１の回動量から、各羽根部材４１，５１の回動角、すなわち、羽根部材４１，５１の吸気口２１１及び排気口２３１のそれぞれの開口面に対する角度である吸気ルーバ角及び排気ルーバ角を算出し、算出したルーバ角をそれぞれ制御手段３６に出力する。
なお、吸気側角度検出手段３３及び排気側角度検出手段３４は、羽根部材４１，５１がステッピングモータ等の駆動によって角度調節される場合には、当該モータの回転軸の回転量から、それぞれのルーバ角を算出するように構成することも可能である。また、吸気側角度検出手段３３及び排気側角度検出手段３４は、他の機構により、ルーバ角を検出する構成としてもよい。
【００３５】
内部温度検出手段３５は、筐体２内の温度を検出する温度センサを備えて構成され、当該温度センサによって検出された筐体２内の温度を、後述する制御手段３６に出力する。この内部温度検出手段３５が検出する筐体２内の温度は、本実施形態では、排気口２３１を通過する空気の温度としている。このような位置に温度センサを配置して、筐体２内を流通した空気の温度を検出することにより、筐体２内の温度変化を統合的に把握することができる。なお、所定の冷却対象の冷却効率を向上させたい場合には、当該冷却対象の配置位置近傍に温度センサを配置してもよく、また、複数の温度センサを配置してもよい。
【００３６】
（５）制御手段３６の構成
制御手段３６は、装置本体３ひいてはプロジェクタ１全体を制御するものであり、ＣＰＵ（Central Processing Unit）、ＲＡＭ（Random Access Memory）及びＲＯＭ（Read Only Memory）等が実装された回路基板として構成されている。
この制御手段３６は、外部機器からプロジェクタ１に入力した画像情報を処理するほか、ＯＳＤのメニュー画面に係る画像情報を生成し、当該画像情報に応じて前述の液晶ライトバルブ３１２の駆動を制御する。また、制御手段３６は、予め記憶された設定情報に基づいて、光源装置３１１の駆動を制御するほか、ファン３２の駆動を制御して、前述の冷却対象を冷却する。このような制御手段３６は、画像情報処理部３６１、ライトバルブ駆動制御部３６２、光源駆動制御部３６３、主制御部３６４、ファン駆動制御部３６５及び記憶部３６６を備えて構成され、これらがバスラインＢＬにより互いに接続されている。
【００３７】
画像情報処理部３６１は、筐体２の背面部に設けられた各種端子（図示省略）を介して外部機器から入力する画像情報を処理して、内部処理可能な画像信号を生成する。この際、画像情報処理部３６１は、記憶部３６６に記憶された画質情報に基づいて、色合い、明るさ及びガンマ等の補正を行う。また、画像情報処理部３６１は、主制御部３６４及びファン駆動制御部３６５から入力する制御信号に応じて、記憶部３６６に記憶されたＯＳＤのメニュー画像や警告表示画像等の画像情報を読み込み、当該画像に係る画像信号を生成する。そして、画像情報処理部３６１は、生成した画像信号を、ライトバルブ駆動制御部３６２に出力する。
【００３８】
ライトバルブ駆動制御部３６２は、画像情報処理部３６１から入力する画像信号に応じた画像を液晶ライトバルブ３１２により形成させるドライバである。具体的に、ライトバルブ駆動制御部３６２は、画像情報処理部３６１から入力する画像信号に応じて液晶ライトバルブ３１２の液晶パネルを駆動するための駆動信号を生成し、当該駆動信号を液晶パネルに出力する。
光源駆動制御部３６３は、主制御部３６４の制御下で、前述の画像形成手段３１を構成する光源装置３１１の点灯を制御する。具体的に、光源駆動制御部３６３は、記憶部３６６に記憶された輝度情報に基づいて、光源装置３１１のＬＥＤに印加する電圧レベルを制御し、当該光源装置３１１から射出される光束の輝度を制御する。
【００３９】
主制御部３６４は、制御手段３６全体を制御するものであり、記憶部３６６に記憶されたプログラムに基づいて、自律的にプロジェクタ１の駆動を制御するほか、前述の操作手段２１２から入力する操作信号に応じて、画像情報処理部３６１による画像処理の制御、及び、光源駆動制御部３６３による光源装置３１１の輝度制御等を統合的に制御する。例えば、操作手段２１２からメニュー画面を表示させる旨の操作信号が入力した場合には、主制御部３６４は、画像情報処理部３６１に制御信号を出力し、当該画像情報処理部３６１によりメニュー画面に係る画像信号の生成出力を実行させる。
【００４０】
図５は、記憶部３６６の記憶情報を示すブロック図である。
記憶部３６６は、ＲＯＭで構成され、制御手段３６の各構成が実行する処理に必要な各種プログラム及びデータ等を記憶する記憶手段である。具体的に、記憶部３６６は、画像情報処理部３６１での画像処理に必要な画質情報や、光源駆動制御部３６３での輝度制御処理に必要な輝度情報等を記憶しているほか、プロジェクタ１の駆動時に、ファン駆動制御部３６５により実行される後述するファン駆動制御処理に係るファン駆動制御プログラムを記憶している。さらに、記憶部３６６は、図５に示すように、吸気ファン駆動情報領域３６６１及び排気ファン駆動情報領域３６６２を有し、当該領域３６６１，３６６２には、後述するファン駆動制御処理にて必要な吸気ファン駆動情報（データ区分ＤＳ１）及び排気ファン駆動情報（データ区分ＤＳ２）が、それぞれ記憶されている。
【００４１】
吸気ファン駆動情報及び排気ファン駆動情報には、プロジェクタ１の状態に応じた最適な回転速度となるように、それぞれ吸気ファン３２１及び排気ファン３２２のファン電圧が設定されており、これら各ファン駆動情報は、ファン駆動制御部３６５によって読み出される。
これら吸気ファン駆動情報及び排気ファン駆動情報は、排気口２３１に設けられたルーバ５の羽根部材５１の角度（排気ルーバ角）の所定範囲ごとに設定された複数のデータ区分ＤＳ１（ＤＳ１１〜ＤＳ１ｎ）及びＤＳ２（ＤＳ２１〜ＤＳ２ｎ）によりそれぞれ構成されている。
【００４２】
吸気ファン駆動情報を構成するデータ区分ＤＳ１１〜ＤＳ１ｎ及び排気ファン駆動情報を構成するデータ区分ＤＳ２１〜ＤＳ２ｎは、それぞれ、吸気口２１１に設けられたルーバ４の羽根部材４１の角度（吸気ルーバ角）の所定範囲ごとに設定された複数のルックアップテーブル（ＬＵＴ）を備えて構成されている。そして、各ルックアップテーブルには、内部温度検出手段３５により検出されることが予め想定される筐体２内部の温度（検出温度）の所定範囲ごとに、ファン３２の回転速度を決定するファン電圧がそれぞれ設定されている。
【００４３】
図６は、１つのデータ区分ＤＳ１１の内容を示す図である。
例えば、図６に示すように、吸気ファン駆動情報であり、かつ、排気ルーバ角が０°より大きく、Ｒ１より小さい場合に利用されるデータ区分ＤＳ１１は、それぞれの吸気ルーバ角の範囲に応じてｎ個のルックアップテーブルＬＵＴ１１１〜ＬＵＴ１１ｎを備えている。そして、各ルックアップテーブルＬＵＴ１１１〜ＬＵＴ１１ｎには、筐体２の内部温度ごとに、吸気ファン３２１に印加するファン電圧が設定されている。
以上のように、吸気ファン駆動情報を構成するデータ区分ＤＳ１の各ルックアップテーブルには、内部温度ごとに吸気ファン３２１に印加するファン電圧がそれぞれ設定され、排気ファン駆動情報を構成する各データ区分ＤＳ２の各ルックアップテーブルには、内部温度ごとに排気ファン３２２に印加するファン電圧が設定されている。
なお、このような吸気ルーバ角及び排気ルーバ角の範囲は、当該範囲内の所定の角度に羽根部材４１，５１が回動した際の吸気口２１１及び排気口２３１の開口面積に対応して設定されている。
【００４４】
（６）ファン駆動制御部３６５の構成
図７は、ファン駆動制御部３６５の構成を示すブロック図である。
図４に戻り、ファン駆動制御部３６５は、主制御部３６４の制御下で、吸気ファン３２１及び排気ファン３２２の駆動を制御する。このファン駆動制御部３６５は、図７に示すように、吸気側角度取得部３６５１、吸気側角度判定部３６５２、排気側角度取得部３６５３、排気側角度判定部３６５４、警告表示指示部３６５５、内部温度取得部３６５６、ファン電圧取得部３６５７及びファン駆動部３６５８を備えて構成されている。
【００４５】
吸気側角度取得部３６５１及び排気側角度取得部３６５３は、吸気側角度検出手段３３及び排気側角度検出手段３４により検出されたルーバ４，５の羽根部材４１，５１の角度（吸気ルーバ角及び排気ルーバ角）を、それぞれ取得する。
吸気側角度判定部３６５２及び排気側角度判定部３６５４は、ルーバ４，５の羽根部材４１，５１が全閉状態であるか否かをそれぞれ判定する。具体的に、吸気側角度判定部３６５２及び排気側角度判定部３６５４は、吸気ルーバ角及び排気ルーバ角が０°であるか否か、すなわち、羽根部材４１と吸気口２１１の開口面とが、また、羽根部材５１と排気口２３１の開口面とが、それぞれ略平行となっているか否かを判定する。
【００４６】
警告表示指示部３６５５は、吸気側角度判定部３６５２により、ルーバ４の羽根部材４１が全閉状態であると判断された場合、及び、排気側角度判定部３６５４により、ルーバ５の羽根部材５１が全閉状態であると判断された場合の少なくともいずれかに該当する場合に、画像情報処理部３６１に制御信号を出力し、当該画像情報処理部３６１により、警告表示画面を表示させる。
内部温度取得部３６５６は、内部温度検出手段３５により検出された筐体２内の温度を取得する。
【００４７】
ファン電圧取得部３６５７は、吸気側角度取得部３６５１、排気側角度取得部３６５３及び内部温度取得部３６５６により取得された吸気ルーバ角、排気ルーバ角、及び、筐体２の内部温度に基づいて、記憶部３６６に記憶された前述のファン駆動情報（吸気ファン駆動情報及び排気ファン駆動情報）から、印加すべき吸気ファン３２１及び排気ファン３２２のファン電圧を取得する。すなわち、ファン電圧取得部３６５７は、本発明の駆動情報取得部に相当する。
具体的に、ファン電圧取得部３６５７は、図５及び図６において示したように、取得された排気ルーバ角（Ｒ）が含まれるデータ区分ＤＳ１，ＤＳ２を選択する。そして、ファン電圧取得部３６５７は、選択されたデータ区分ＤＳ１，ＤＳ２のそれぞれから、取得された吸気ルーバ角（ｒ）が含まれる１つのルックアップテーブルを選択する。この後、ファン電圧取得部３６５７は、選択されたルックアップテーブルから、取得された筐体２の内部温度（ｔ）に対応する吸気ファン３２１及び排気ファン３２２のファン電圧をそれぞれ取得する。
図７に戻り、ファン駆動部３６５８は、ファン電圧取得部３６５７により吸気ファン駆動情報及び排気ファン駆動情報から取得された吸気ファン３２１用のファン電圧及び排気ファン３２２用のファン電圧を、それぞれ吸気ファン３２１及び排気ファン３２２に印加し、当該吸気ファン３２１及び排気ファン３２２を駆動させる。
【００４８】
（７）ファン駆動制御処理
図８は、ファン駆動制御処理の処理過程を示すフローチャートである。
制御手段３６は、使用者により操作手段２１２の電源キーが入力され、プロジェクタ１の電源がオン状態となると、画像形成処理を実行するとともに、ファン駆動制御処理を実行する。このファン駆動制御処理は、記憶部３６６に記憶されたファン駆動制御プログラムに沿って実行され、同じく記憶部３６６に記憶されたファン駆動情報（吸気ファン駆動情報及び排気ファン駆動情報）から、プロジェクタ１の状態、すなわち、吸気ルーバ角、排気ルーバ角及び筐体２の内部温度に応じた吸気ファン３２１及び排気ファン３２２のファン電圧を取得し、当該ファン電圧を印加することで、吸気ファン３２１及び排気ファン３２２を、当該プロジェクタ１の状態に適した回転速度で駆動する処理である。また、このファン駆動制御処理は、プロジェクタ１の駆動中は所定周期で実行される。
具体的に、ファン駆動制御処理では、図８に示すように、まず、ファン駆動制御部３６５の吸気側角度取得部３６５１が、吸気側角度検出手段３３により検出されたルーバ４（吸気口２１１に配置）の羽根部材４１の角度（吸気ルーバ角）を取得する（角度取得ステップＳ１）。
【００４９】
この後、吸気側角度判定部３６５２が、吸気側角度取得部３６５１により取得された吸気ルーバ角に基づいて、羽根部材４１が全閉状態であるか否かを判定する（ステップＳ２）。
ここで、吸気側角度判定部３６５２が、羽根部材４１が全閉状態であると判定した場合には、警告表示指示部３６５５が、画像情報処理部３６１に制御信号を出力し、当該画像情報処理部３６１により警告画面に係る画像信号を生成出力させる。これにより、当該画像信号が、ライトバルブ駆動制御部３６２に入力し、画像形成手段３１により、警告画面が形成表示される（ステップＳ３）。この際、表示される警告画面には、吸気口２１１が閉塞されている旨のメッセージが含まれる。この後、ファン駆動制御処理は、ステップＳ１に戻る。
【００５０】
一方、吸気側角度判定部３６５２が、羽根部材４１が全閉状態ではないと判定した場合には、排気側角度取得部３６５３が、排気側角度検出手段３４により検出されたルーバ５（排気口２３１に配置）の羽根部材５１の角度（排気ルーバ角）を取得する（角度取得ステップＳ４）。
この後、排気側角度判定部３６５４が、排気側角度取得部３６５３により取得された排気ルーバ角に基づいて、当該羽根部材５１が全閉状態であるか否かを判定する（ステップＳ５）。
ここで、排気側角度判定部３６５４が、羽根部材５１が全閉状態であると判定した場合には、前述のステップＳ３と同様に、警告表示指示部３６５５が、画像情報処理部３６１に制御信号を出力し、排気口２３１が閉塞されている旨のメッセージを含む警告画面を表示させ（ステップＳ６）、ファン駆動制御処理は、ステップＳ１に戻る。
【００５１】
一方、排気側角度判定部３６５４が、羽根部材５１が全閉状態でないと判定した場合には、内部温度取得部３６５６が、内部温度検出手段３５により検出された筐体２の内部温度を取得する（ステップＳ７）。
次に、ファン電圧取得部３６５７が、記憶部３６６を参照し、当該記憶部３６６に記憶されたファン駆動情報（吸気ファン駆動情報及び排気ファン駆動情報）から、吸気側角度取得部３６５１、排気側角度取得部３６５３及び内部温度取得部３６５６のそれぞれにより取得された吸気ルーバ角、排気ルーバ角及び筐体２の内部温度に対応する吸気ファン３２１及び排気ファン３２２の各ファン電圧を取得する（駆動情報取得ステップＳ８）。
この後、ファン駆動部３６５８が、ファン電圧取得部３６５７により取得されたファン電圧を吸気ファン３２１及び排気ファン３２２にそれぞれ印加し、当該吸気ファン３２１及び排気ファン３２２を駆動する（ファン駆動ステップＳ９）。
【００５２】
以上により、ファン駆動制御処理は終了するが、当該ファン駆動制御処理は、前述のように、プロジェクタ１の駆動時には所定周期にて繰り返し実行されており、吸気ルーバ角、排気ルーバ角及び内部温度がファン駆動制御部３６５により監視され、これらパラメータの少なくともいずれかが変化した場合には、当該パラメータに応じて最適なファン３２（吸気ファン３２１及び排気ファン３２２）のファン電圧が取得され、当該ファン電圧でファン３２が駆動する。
【００５３】
以上説明した本実施形態のプロジェクタ１によれば、以下の効果を奏することができる。
すなわち、プロジェクタ１の駆動時には、ファン駆動制御部３６５により、ファン駆動制御処理が実行される。このファン駆動制御処理では、角度取得ステップＳ１，Ｓ４にて、ファン駆動制御部３６５の吸気側角度取得部３６５１及び排気側角度取得部３６５３が、吸気側角度検出手段３３及び排気側角度検出手段３４により検出された羽根部材４１，５１の角度（吸気ルーバ角及び排気ルーバ角）をそれぞれ取得し、駆動情報取得ステップＳ８にて、ファン電圧取得部３６５７が、吸気ルーバ角及び排気ルーバ角に応じたファン電圧を、記憶部３６６に記憶された吸気ファン駆動情報及び排気ファン駆動情報からそれぞれ取得する。そして、ファン駆動ステップにて、ファン駆動部３６５８が、取得された各ファン電圧を吸気ファン３２１及び排気ファン３２２にそれぞれ印加し、当該吸気ファン３２１及び排気ファン３２２を駆動する。
【００５４】
これによれば、吸気口２１１及び排気口２３１にそれぞれ設けられたルーバ４，５の羽根部材４１，５１の角度に適した回転速度、すなわち、吸気口２１１での吸気効率及び排気口２３１での排気効率に適した回転速度で、吸気ファン３２１及び排気ファン３２２を駆動することができる。
具体的に、羽根部材４１，５１と吸気口２１１及び排気口２３１の開口面との角度の少なくともいずれかが大きい場合（羽根部材４１，５１が全開状態に近い場合）には、当該吸気口２１１での吸気及び排気口２３１での排気の少なくともいずれかが効率よく行われる。この際には、吸気ファン３２１及び排気ファン３２２の少なくともいずれかの回転速度を下げることができ、ファン３２の静音化及び省電力化を図ることができる。
一方、羽根部材４１，５１と吸気口２１１及び排気口２３１の開口面との角度の少なくとも一方が小さい場合（羽根部材４１，５１が全閉状態に近い場合）には、吸気口２１１での吸気及び排気口２３１での排気の少なくともいずれかが効率よく行われない。この際には、対応する吸気ファン３２１及び排気ファン３２２の少なくともいずれかの回転速度を上げることで、筐体２内の光源装置３１１や液晶ライトバルブ３１２等の冷却対象の冷却を適切に行うことができる。従って、プロジェクタ１の状態に適した回転速度でファン３２を駆動することができる。
【００５５】
また、羽根部材４１，５１の角度に適した吸気ファン３２１及び排気ファン３２２の各ファン電圧は、記憶部３６６に記憶された吸気ファン駆動情報及び排気ファン駆動情報に設定されている。これによれば、複雑な演算処理等を行う必要がなくなるので、制御手段３６の負荷を低減することができるほか、吸気ファン３２１及び排気ファン３２２の回転速度制御を迅速かつ簡易に行うことができる。従って、プロジェクタ１の状態に応じたファン３２の駆動制御を、迅速かつ適切に行うことができる。
【００５６】
また、筐体２内に収納される装置本体３は、当該筐体２内の温度を検出する内部温度検出手段３５を備え、ファン駆動制御部３６５のファン電圧取得部３６５７は、内部温度検出手段３５により検出された筐体２内の温度を１つのパラメータとして、ファン駆動情報から各ファン３２１，３２２に印加する各ファン電圧を取得する。
これによれば、光源装置３１１及び液晶ライトバルブ３１２等の冷却対象が配置される筐体２内の温度を、内部温度検出手段３５が取得することにより、当該冷却対象の冷却状態を把握することができる。そして、筐体２内の温度が低い場合、すなわち、冷却対象の冷却が適切に行われている場合には、ファン３２に印加するファン電圧を下げることで、ファン３２の回転速度を下げることができる。また、筐体２内の温度が高い場合、すなわち、冷却対象の冷却が適切に行われていない場合には、ファン３２に印加するファン電圧を上げることで、ファン３２の回転速度を上げることができ、これにより、冷却対象に流通する空気の量を増加させ、当該冷却対象を効率よく冷却することができる。
従って、筐体２内の温度に応じてファン３２を駆動することができるので、冷却対象を適切に冷却することができるほか、ファン３２の回転速度を下げた場合には、プロジェクタ１の静音化及び省電力化を一層向上することができる。
【００５７】
また、記憶部３６６に記憶された吸気ファン駆動情報及び排気ファン駆動情報は、内部温度に係る所定範囲ごとに設けられた複数のデータ区分ＤＳ１，ＤＳ２から構成されている。そして、各データ区分ＤＳ１，ＤＳ２は、排気ルーバ角の所定範囲ごとに設けられたデータ区分ＤＳ１１〜ＤＳ１ｎ，ＤＳ２１〜ＤＳ２ｎからそれぞれ構成され、当該各データ区分ＤＳ１１〜ＤＳ１ｎ，ＤＳ２１〜ＤＳ２ｎは、吸気ルーバ角の所定範囲ごとに、内部温度に対応した吸気ファン３２１及び排気ファン３２２のファン電圧が設定された複数のルックアップテーブルを有している。これによれば、筐体２の内部温度、吸気ルーバ角及び排気ルーバ角という３つのパラメータによって設定されている吸気ファン３２１及び排気ファン３２２の各ファン電圧を、誤りなく取得することができる。すなわち、ファン駆動情報において、パラメータごとにデータ階層が下がることとなるので、取得すべきファン３２のファン電圧に誤りなく到達することができる。従って、ファン３２の駆動制御を一層適切に行うことができる。
【００５８】
（８）実施形態の変形
本発明は前述の実施形態に限定されるものではなく、本発明の目的を達成できる範囲での変形、改良等は本発明に含まれるものである。
前記実施形態では、吸気口２１１及び排気口２３１のそれぞれにルーバ４，５を設けるとしたが、本発明はこれに限らない。すなわち、吸気口２１１及び排気口２３１の少なくともいずれかにルーバが設けられていればよく、このような場合、当該ルーバに設けられた羽根部材の角度を検出して、当該角度に応じてファン３２の駆動を制御するようにすればよい。
【００５９】
前記実施形態では、吸気口２１１及び排気口２３１にそれぞれ設けられたルーバ４，５の羽根部材４１，５１のそれぞれの角度を検出するようにしたが、本発明はこれに限らず、少なくともいずれかの角度を検出するようにしてもよい。この場合、吸気口２１１からの吸気効率が低下した場合より、排気口２３１からの排気効率が低下した場合の方が、冷却対象の冷却に悪影響を及ぼすので、排気口２３１に設けられたルーバ５の羽根部材５１の角度を検出するようにすることが好ましい。
【００６０】
前記実施形態では、羽根部材４１，５１は、使用者が直接、回動機構４３，５３を構成するダイヤル４３１，５３１を操作することにより角度調節されるとしたが、本発明はこれに限らない。例えば、操作手段２１２に対する使用者の操作に応じて、回動機構４３，５３が羽根部材４１，５１を回動させるようにしてもよい。また、ルーバ４，５のＬ方向及びＭ方向への回動においても同様である。
【００６１】
前記実施形態では、吸気側角度検出手段３３及び排気側角度検出手段３４は、羽根部材４１，５１の角度を検出するとしたが、本発明はこれに限らず、ルーバ４，５のＬ方向及びＭ方向への回動角も合わせて検出するようにしてもよい。このような場合、ファン駆動情報には、当該Ｌ方向及びＭ方向の角度に応じて、ファン３２のファン電圧を設定してもよい。
【００６２】
前記実施形態では、吸気ファン駆動情報及び排気ファン駆動情報は、排気ルーバ角の所定範囲ごとに設けられた複数のデータ区分ＤＳ１（ＤＳ１１〜ＤＳ１ｎ），ＤＳ２（ＤＳ２１〜ＤＳ２ｎ）から構成され、当該各データ区分ＤＳ１１〜ＤＳ１ｎ，ＤＳ２１〜ＤＳ２ｎは、吸気ルーバ角の所定範囲ごとに設けられた複数のルックアップテーブルから構成され、各ルックアップテーブルには、筐体２の内部温度の所定範囲ごとに、ファン３２に印加するファン電圧が対応付けられているとしたが、本発明はこれに限らない。すなわち、これら筐体２の内部温度、吸気ルーバ角及び排気ルーバ角をパラメータとして、吸気ファン３２１及び排気ファン３２２の回転速度に係る情報が取得可能な形式で吸気ファン駆動情報及び排気ファン駆動情報が構成されていれば、当該各ファン駆動情報の形態は問わない。例えば、筐体２の内部温度が１℃ごとに設定され、また、吸気ルーバ角及び排気ルーバ角が１°ごとに設定され、これらパラメータに応じたファン３２の回転速度が設定された１つのテーブルとしてファン駆動情報を構成してもよい。
【００６３】
前記実施形態では、ファン駆動情報には、ファン３２の回転速度に係る情報として、当該ファン３２に印加するファン電圧が設定されているとしたが、本発明はこれに限らない。例えば、ファン電圧の代わりに、ファンの回転速度に係る情報として内部温度に対応したファンの回転速度が、ファン駆動情報に設定されている構成であってもよい。
【００６４】
前記実施形態では、プロジェクタ１は、吸気ファン３２１及び排気ファン３２２を備え、吸気ルーバ角、排気ルーバ角及び筐体２の内部温度に適したファン３２１，３２２の駆動を実現するために、記憶部３６６に吸気ファン駆動情報及び排気ファン駆動情報が記憶されているとしたが、本発明はこれに限らない。すなわち、筐体２内には、吸気ファン３２１及び排気ファン３２２の少なくともいずれかが設けられていればよい。また、吸気ルーバ角及び排気ルーバ角のそれぞれを、ファン駆動情報からファンの回転速度に係る情報を取得するためのパラメータとする必要もなく、前述のように、当該吸気ルーバ角及び排気ルーバ角の少なくともいずれかがパラメータとして設定されていればよい。さらに、１つのファン駆動情報で、２つ以上のファンを制御するようにしてもよい。
【００６５】
前記実施形態では、ファン駆動制御プログラムは、ＲＯＭにより構成された記憶部３６６に記憶され、プロジェクタ１の電源オン時で、当該記憶部３６６から読み出されて実行されるとしたが、本発明はこれに限らない。例えば、ファン駆動制御プログラムは、ＣＤ（Compact Disc）及びＤＶＤ（Digital Versatile Disc）等の光ディスク、磁気ディスク、及びフラッシュメモリ等の半導体メモリ等の記録媒体に記憶され、プロジェクタ１の起動時に読み出されるように構成してもよい。すなわち、当該ファン駆動制御プログラムの記録形態は問わない。
【００６６】
前記実施形態では、光変調装置として透過型の液晶ライトバルブ３１２を備えたプロジェクタ１を例示したが、反射型の液晶ライトバルブを採用してもよい。また、光源装置３１１から射出された光束を画像情報に応じて変調して光学像を形成可能な光変調装置であれば、他の構成の光変調装置を採用してもよい。例えば、マイクロミラーを用いたデバイスなど、液晶以外の光変調装置を用いたプロジェクタにも、本発明を適用することも可能である。
【００６７】
前記実施形態では、画像表示装置として、スクリーンを観察する方向から投射を行なうフロントタイプのプロジェクタ１を例示したが、本発明はこれに限らず、スクリーンを観察する方向とは反対側から投射を行なうリアタイプのプロジェクタにも適用することもできる。
【産業上の利用可能性】
【００６８】
本発明は、プロジェクタに利用でき、特に、吸気方向及び排気方向を調節する調節手段を備えたプロジェクタに好適に利用することができる。
【図面の簡単な説明】
【００６９】
【図１】本発明の一実施形態に係るプロジェクタを示す概略斜視図。
【図２】前記実施形態におけるルーバを示す正面図。
【図３】前記実施形態におけるルーバを示す斜視図。
【図４】前記実施形態における装置本体の構成を示すブロック図。
【図５】前記実施形態における記憶部の記憶内容を示すブロック図。
【図６】前記実施形態におけるファン駆動情報の１つのデータ区分を示す図。
【図７】前記実施形態におけるファン駆動制御部の構成を示すブロック図。
【図８】前記実施形態におけるファン駆動制御処理の処理過程を示すフローチャート。
【符号の説明】
【００７０】
１…プロジェクタ、２…筐体、４，５…ルーバ（調節手段）、３１…画像形成手段、３２…ファン、３３…吸気側角度検出手段（角度検出手段）、３４…排気側角度検出手段（角度検出手段）、３５…内部温度検出手段、３６…制御手段、２１１…吸気口、２３１…排気口、３６５…ファン駆動制御部、３６６…記憶部（記憶手段）、３６５７…ファン電圧取得部（駆動情報取得部）、３６５８…ファン駆動部、Ｓ１，Ｓ４…角度取得ステップ、Ｓ８…駆動情報取得ステップ、Ｓ９…ファン駆動ステップ。
【図１】
2008122802.tif 000003
【図２】
2008122802.tif 000004
【図３】
2008122802.tif 000005
【図４】
2008122802.tif 000006
【図５】
2008122802.tif 000007
【図６】
2008122802.tif 000008
【図７】
2008122802.tif 000009
【図８】
2008122802.tif 000010